(57)【要約】【課題】携帯電話端末から送信される画像を利用した新たなサービスを提供する携帯電話画像サービスシステムを提供する。【解決手段】登録する画像情報にＧＰＳ情報を付加して画像サービスサーバ１に送信し、画像サービスサーバはＧＰＳ情報を変換して場所情報を生成するため、画像情報の送信場所（撮影場所）を画像の取得者に認識させることができる。また、画像の登録者は場所に関する情報を入力する必要がない。さらに登録する画像と位置情報は画像サービスサーバ側で自動的にリンクされるため登録者の手間がかからない。利用者にとっては、所望の情報を入手することができ、コンテンツサービスの向上を図ることができる。【選択図】        図１
2004320464.tif 000002
【特許請求の範囲】
【請求項１】
ＧＰＳ機能を具備するカメラ付き携帯電話端末と、
前記カメラ付き携帯電話端末から送信される画像とＧＰＳ情報とを受信し、該ＧＰＳ情報から位置情報を算出して該位置情報の示す場所情報に変換し、該画像と共に格納する画像サービスサーバと、
を有し、
前記画像サービスサーバは、画像の取得要求によって前記画像と前記場所情報とを取得要求のあった端末に送信することを特徴とする携帯電話画像サービスシステム。
【請求項２】
前記画像サービスサーバは、
前記カメラ付き携帯電話端末から送信されたメンバー名と、ＩＤと、パスワードと、メールアドレスとを前記メンバー名に関連付けて格納する個人情報記憶手段と、
画像の登録要求または取得要求があった際に、要求のあった端末から送信されたメンバー名を検索キーとして前記個人情報記憶手段を検索し該当する領域を選択する個人情報選択手段と、
前記個人情報選択手段により検出された、前記メンバー名で登録されたＩＤおよびパスワードと、前記要求のあった端末から送信されたＩＤおよびパスワードとが一致するか否かを比較する個人情報比較手段と、
を有し、
前記個人情報比較手段によりＩＤおよびパスワードの一致を検出した場合に、画像の登録要求または取得要求を許可することを特徴とする請求項１記載の携帯電話画像サービスシステム。
【請求項３】
前記画像サービスサーバは、
端末から送信されるメンバー名と、登録要求のあった画像と、前記画像と共に送信される前記ＧＰＳ情報を変換して作成した場所情報と、前記画像サービスサーバが保持する日時情報とを前記メンバー名に関連付けて記憶した画像情報記憶手段と、
前記端末から送信されたメンバー名により、前記画像情報記憶手段に登録された画像と、場所情報と、日時情報とを選択する画像情報選択手段と、
を有し、
画像の登録要求があった場合に、前記要求のあった端末から送信されたメンバー名に関連付けて前記個人情報記憶手段に予め登録されたＩＤおよびパスワードと、前記要求のあった端末から送信されたＩＤおよびパスワードとが一致するか否かを前記個人情報比較手段で比較し、
前記個人情報比較手段により一致を検出した場合に、前記要求のあった端末から送信されたメンバー名に、登録要求のあった画像と、前記ＧＰＳ情報を変換して作成した場所情報と、前記画像サービスサーバが保持する日時情報とを関連付けして前記画像情報記憶手段に登録し、
画像の取得要求があった場合には、前記要求のあった端末から送信されたメンバー名に関連付けて前記個人情報記憶手段に予め登録されたＩＤおよびパスワードと、前記要求のあった端末から送信されたＩＤおよびパスワードとが一致するか否かを前記個人情報比較手段で比較し、
前記個人情報比較手段により一致を検出した場合に、前記要求のあった端末から送信されたメンバー名で前記画像情報記憶手段に登録された画像と、場所情報と、日時情報とを前記画像情報選択手段によって選択し、
前記要求のあった端末に選択した前記画像と、前記場所情報と、前記日時情報と、前記メンバー名とを送信することを特徴とする請求項２記載の携帯電話画像サービスシステム。
【請求項４】
前記画像サービスサーバは、
グループ毎に、該グループに属するメンバーのメンバー名と、該メンバーのメールアドレスとを格納したグループ情報記憶手段と、
前記グループ情報記憶手段を検索して、指定されたグループに属するメンバーのメンバー名と、メールアドレスとを選択するグループ情報選択手段と、
端末から送信されるグループ名と、前記個人情報記憶手段に予め記憶されたグループ名とが一致するか否かを比較するグループ情報比較手段と、
前記画像情報記憶手段に、指定されたメンバー名で登録された画像が登録されているか否かを検出するメンバー名比較手段と、
を有し、
前記個人情報記憶手段は、前記メンバー名に、該メンバー名の示すメンバーの属するグループのグループ名を関連付けて記憶し、
グループ名を指定した画像の取得要求があった場合には、前記要求のあった端末から送信されたメンバー名に関連付けして前記個人情報記憶手段に予め登録されたＩＤおよびパスワードと、前記要求のあった端末から送信されたＩＤおよびパスワードとが一致するか否かを前記個人情報比較手段で比較し、
前記個人情報比較手段により一致を検出した場合に、前記要求のあった端末から送信されたグループ名と、前記個人情報記憶手段に前記メンバー名に関連付けして予め登録されたグループ名とが一致するか否かを前記グループ情報比較手段で比較し、
前記グループ情報比較手段でグループ名の一致を検出した場合に、前記グループ情報選択手段により前記指定されたグループ名に属するメンバーのメンバー名を前記グループ情報記憶手段から取り出し、
前記画像情報記憶手段に登録された前記メンバー名が含まれる領域にある画像と、場所情報と、日時情報と、メンバー名とを前記メンバー名比較手段により取り出し、
要求のあった端末に送信することを特徴とする請求項２または３記載の携帯電話画像サービスシステム。
【請求項５】
前記画像サービスサーバは、
前記画像情報記憶手段に、指定された場所情報に関連付けされた画像が登録されているか否かを検出する場所比較手段を有し、
場所情報を指定した画像の取得要求があった場合には、前記要求のあった端末から送信されたメンバー名に関連付けして前記個人情報記憶手段に予め登録されたＩＤおよびパスワードと、前記要求のあった端末から送信されたＩＤおよびパスワードとが一致するか否かを前記個人情報比較手段で比較し、
前記個人情報比較手段により一致を検出した場合に、前記場所比較手段により前記要求のあった端末から送信された場所情報と前記画像情報記憶手段に登録された場所情報とを比較して前記画像情報記憶手段にある画像と、日時情報と、メンバー名とを取り出し、
要求のあった端末に送信することを特徴とする請求項２から４の何れか１項に記載の携帯電話画像サービスシステム。
【請求項６】
前記画像サービスサーバは、
画像の登録または取得の際に、要求のあった端末に利用料金の課金を行なう料金管理手段を有することを特徴とする請求項１から５の何れか１項に記載の携帯電話画像サービスシステム。
【請求項７】
ＧＰＳ機能を具備するカメラ付き携帯電話端末から送信される画像とＧＰＳ情報とを画像サービスサーバで受信し、該受信した画像サービスサーバにおいて前記ＧＰＳ情報から位置情報を算出して該位置情報の示す場所情報に変換し、該画像と共に格納し、
画像の取得要求によって前記画像サービスサーバは前記画像と前記場所情報とを取得要求のあった端末に送信することを特徴とする携帯電話画像サービス方法。
【請求項８】
前記画像サービスサーバは、
前記カメラ付き携帯電話端末から送信されたメンバー名と、ＩＤと、パスワードと、メールアドレスとを前記メンバー名に関連付けて格納した個人情報記憶手段を有し、
画像の登録要求または取得要求があった際に、要求のあった端末から送信されたメンバー名を検索キーとして前記個人情報記憶手段を検索し該当する領域を選択する個人情報選択工程と、
前記個人情報選択工程により検出された、前記メンバー名で登録されたＩＤおよびパスワードと、前記要求のあった端末から送信されたＩＤおよびパスワードとが一致するか否かを比較する個人情報比較工程と、
を有し、
前記個人情報比較工程によりＩＤおよびパスワードの一致を検出した場合に、画像の登録要求または取得要求を許可することを特徴とする請求項７記載の携帯電話画像サービス方法。
【請求項９】
前記画像サービスサーバは、
端末から送信されるメンバー名と、登録要求のあった画像と、前記画像と共に送信される前記ＧＰＳ情報を変換して作成した場所情報と、画像サービスサーバが保持する日時情報とを前記メンバー名に関連付けて記憶した画像情報記憶手段を有し、
画像の登録要求があった場合に、
前記要求のあった端末から送信されたメンバー名に関連付けて前記個人情報記憶手段に予め登録されたＩＤおよびパスワードと、前記要求のあった端末から送信されたＩＤおよびパスワードとが一致するか否かを比較する前記個人情報比較工程と、
前記個人情報比較工程により一致を検出した場合に、前記要求のあった端末から送信されたメンバー名に、登録要求のあった画像と、前記ＧＰＳ情報を変換して作成した場所情報と、画像サービスサーバが保持する日時情報とを関連付けして前記画像情報記憶手段に登録する画像登録工程と、を有し、
画像の取得要求があった場合には、
前記要求のあった端末から送信されたメンバー名に関連付けて前記個人情報記憶手段に予め登録されたＩＤおよびパスワードと、前記要求のあった端末から送信されたＩＤおよびパスワードとが一致するか否かを比較する前記個人情報比較工程と、
前記個人情報比較工程により一致を検出した場合に、前記要求のあった端末から送信されたメンバー名で前記画像情報記憶手段に登録された画像と、場所情報と、日時情報とを選択して抽出する第１の画像抽出工程と、を有し、
前記要求のあった端末に抽出した前記画像と、前記場所情報と、前記日時情報と、前記メンバー名とを送信することを特徴とする請求項８記載の携帯電話画像サービス方法。
【請求項１０】
前記画像サービスサーバは、
グループ毎に、該グループに属するメンバーのメンバー名と、該メンバーのメールアドレスとを格納したグループ情報記憶手段を有し、
前記個人情報記憶手段は、前記メンバー名に、該メンバー名の示すメンバーの属するグループのグループ名を関連付けて記憶し、
グループ名を指定した画像の取得要求があった場合には、
前記要求のあった端末から送信されたメンバー名に関連付けして前記個人情報記憶手段に予め登録されたＩＤおよびパスワードと、前記要求のあった端末から送信されたＩＤおよびパスワードとが一致するか否かを比較する前記個人情報比較工程と、
前記個人情報比較工程により一致を検出した場合に、前記要求のあった端末から送信されたグループ名と、前記個人情報記憶手段に前記メンバー名に関連付けして予め登録されたグループ名とが一致するか否かを検出するグループ情報比較工程と、
前記グループ情報比較工程でグループ名の一致を検出した場合に、前記指定されたグループ名に属するメンバーのメンバー名を検索キーに前記グループ情報記憶手段を検索して抽出するグループ情報抽出工程と、
前記グループ情報抽出工程により抽出されたメンバー名で前記画像情報記憶手段に登録された画像と、場所情報と、日時情報と、メンバー名とを抽出する第２の画像抽出工程と、を有し、
要求のあった端末に送信することを特徴とする請求項８または９記載の携帯電話画像サービス方法。
【請求項１１】
前記画像サービスサーバは、
場所情報を指定した画像の取得要求があった場合に、
前記要求のあった端末から送信されたメンバー名に関連付けして前記個人情報記憶手段に予め登録されたＩＤおよびパスワードと、前記要求のあった端末から送信されたＩＤおよびパスワードとが一致するか否かを比較する前記個人情報比較工程と、
前記個人情報比較工程により一致を検出した場合に、前記要求のあった端末から送信された場所情報で前記画像情報記憶手段に登録された画像と、日時情報と、メンバー名とを抽出する第３の画像抽出工程と、を有し、
要求のあった端末に送信することを特徴とする請求項８から１０の何れか１項に記載の携帯電話画像サービス方法。
【請求項１２】
前記画像サービスサーバは、
画像の登録または取得の際に、要求のあった端末に利用料金の課金を行なう料金管理工程を有することを特徴とする請求項７から１１の何れか１項に記載の携帯電話画像サービス方法。
【請求項１３】
ＧＰＳ機能を具備するカメラ付き携帯電話端末から送信される画像とＧＰＳ情報とを画像サービスサーバで受信し、
前記受信した画像サービスサーバにおいて、前記ＧＰＳ情報から位置情報を算出して該位置情報の示す場所情報に変換して、該画像と共に格納する処理と、
画像の取得要求によって前記画像と前記場所情報とを取得要求のあった端末に送信する処理と、
を実行することを特徴とする携帯電話画像サービスプログラム。
【請求項１４】
前記画像サービスサーバは、
前記カメラ付き携帯電話端末から送信されたメンバー名と、ＩＤと、パスワードと、メールアドレスとを前記メンバー名に関連付けて格納した個人情報記憶手段を有し、
画像の登録要求または取得要求があった際に、要求のあった端末から送信されたメンバー名を検索キーとして前記個人情報記憶手段を検索する個人情報検索処理と、
前記個人情報検索処理により検出された、前記メンバー名で登録されたＩＤおよびパスワードと、前記要求のあった端末から送信されたＩＤおよびパスワードとが一致するか否かを比較する個人情報比較処理と、
を実行し、
前記個人情報比較処理によりＩＤおよびパスワードの一致を検出した場合に、画像の登録要求または取得要求を許可することを特徴とする請求項１３記載の携帯電話画像サービスプログラム。
【請求項１５】
前記画像サービスサーバは、
端末から送信されるメンバー名と、登録要求のあった画像と、前記画像と共に送信される前記ＧＰＳ情報を変換して作成した場所情報と、画像サービスサーバが保持する日時情報とを前記メンバー名に関連付けて記憶した画像情報記憶手段を有し、
画像の登録要求があった場合に、
前記要求のあった端末から送信されたメンバー名に関連付けて前記個人情報記憶手段に予め登録されたＩＤおよびパスワードと、前記要求のあった端末から送信されたＩＤおよびパスワードとが一致するか否かを比較する前記個人情報比較処理と、
前記個人情報比較処理により一致を検出した場合に、前記要求のあった端末から送信されたメンバー名に、登録要求のあった画像と、前記ＧＰＳ情報を変換して作成した場所情報と、画像サービスサーバが保持する日時情報とを関連付けして前記画像情報記憶手段に登録する画像登録処理と、を実行し、
画像の取得要求があった場合には、
前記要求のあった端末から送信されたメンバー名に関連付けて前記個人情報記憶手段に予め登録されたＩＤおよびパスワードと、前記要求のあった端末から送信されたＩＤおよびパスワードとが一致するか否かを比較する前記個人情報比較処理と、
前記個人情報比較処理により一致を検出した場合に、前記要求のあった端末から送信されたメンバー名で前記画像情報記憶手段に登録された画像と、場所情報と、日時情報とを抽出する第１の画像抽出処理と、を実行し、
前記要求のあった端末に抽出した前記画像と、前記場所情報と、前記日時情報と、前記メンバー名とを送信することを特徴とする請求項１４記載の携帯電話画像サービスプログラム。
【請求項１６】
前記画像サービスサーバは、
グループ毎に、該グループに属するメンバーのメンバー名と、該メンバーのメールアドレスとを格納したグループ情報記憶手段を有し、
前記個人情報記憶手段は、前記メンバー名に、該メンバー名の示すメンバーの属するグループのグループ名を関連付けて記憶し、
グループ名を指定した画像の取得要求があった場合には、
前記要求のあった端末から送信されたメンバー名に関連付けして前記個人情報記憶手段に予め登録されたＩＤおよびパスワードと、前記要求のあった端末から送信されたＩＤおよびパスワードとが一致するか否かを比較する前記個人情報比較処理と、
前記個人情報比較処理により一致を検出した場合に、前記要求のあった端末から送信されたグループ名と、前記個人情報記憶手段に前記メンバー名に関連付けして予め登録されたグループ名とが一致するか否かを検出するグループ情報比較処理と、
前記グループ情報比較処理でグループ名の一致を検出した場合に、前記指定されたグループ名に属するメンバーのメンバー名を検索キーに前記グループ情報記憶手段を検索して抽出するグループ情報抽出処理と、
前記グループ情報抽出処理により抽出されたメンバー名で前記画像情報記憶手段に登録された画像と、場所情報と、日時情報と、メンバー名とを抽出する第２の画像抽出処理と、を実行し、
要求のあった端末に送信することを特徴とする請求項１４または１５記載の携帯電話画像サービスプログラム。
【請求項１７】
前記画像サービスサーバは、
場所情報を指定した画像の取得要求があった場合には、
前記要求のあった端末から送信されたメンバー名に関連付けして前記個人情報記憶手段に予め登録されたＩＤおよびパスワードと、前記要求のあった端末から送信されたＩＤおよびパスワードとが一致するか否かを比較する前記個人情報比較処理と、
前記個人情報比較処理により一致を検出した場合に、前記要求のあった端末から送信された場所情報で前記画像情報記憶手段に登録された画像と、日時情報と、メンバー名とを検出する第３の画像検出処理と、を実行し、
要求のあった端末に送信することを特徴とする請求項１４から１６の何れか１項に記載の携帯電話画像サービスプログラム。
【請求項１８】
前記画像サービスサーバは、
画像の登録または取得の際に、要求のあった端末に利用料金の課金を行なう料金管理処理を実行することを特徴とする請求項１３から１７の何れか１項に記載の携帯電話画像サービスプログラム。
【発明の詳細な説明】
【０００１】
【発明の属する技術分野】
本発明は、カメラ付き携帯電話機を利用して新たなサービスを提供する携帯電話画像サービスシステム、その方法及びプログラムに関する。
【０００２】
【従来の技術】
カメラ付き携帯携帯電話機の普及が進むにつれて、このカメラで撮影した画像を用いた新しいサービスが求められている。しかし現状は、カメラで画像を撮影して相手にそのまま送り、受け手側がその画像を見るだけであった。
【０００３】
撮影した画像の配布を容易に行なうことを目的とした発明が、以下に示す特許文献１に開示されている。
【０００４】
【特許文献１】
特開２００２−２７９３９４号公報
【０００５】
【発明が解決しようとする課題】
しかしながら利用者が真に求めるサービスは少なく、利用者は現在のサービスに満足していない。従って、直近に携帯電話機サービスの利用に限りがでることは明白である。そのため、携帯電話サービス事業者やベンチャー企業は継続して次の新しいコンテンツサービスを模索している。
【０００６】
本発明は上記事情に鑑みてなされたものであり、携帯電話端末から送信される画像を利用した新たなサービスを提供する携帯電話画像サービスシステム、その方法及びプログラムを提供することを目的とする。
【０００７】
【課題を解決するための手段】
係る目的を達成するために請求項１記載の発明は、ＧＰＳ機能を具備するカメラ付き携帯電話端末と、カメラ付き携帯電話端末から送信される画像とＧＰＳ情報とを受信し、該ＧＰＳ情報から位置情報を算出して該位置情報の示す場所情報に変換し、該画像と共に格納する画像サービスサーバと、を有し、画像サービスサーバは、画像の取得要求によって画像と場所情報とを取得要求のあった端末に送信することを特徴とする。
【０００８】
請求項２記載の発明は、請求項１記載の発明において、画像サービスサーバは、カメラ付き携帯電話端末から送信されたメンバー名と、ＩＤと、パスワードと、メールアドレスとをメンバー名に関連付けて格納する個人情報記憶手段と、画像の登録要求または取得要求があった際に、要求のあった端末から送信されたメンバー名を検索キーとして個人情報記憶手段を検索し該当する領域を選択する個人情報選択手段と、個人情報選択手段により検出された、メンバー名で登録されたＩＤおよびパスワードと、要求のあった端末から送信されたＩＤおよびパスワードとが一致するか否かを比較する個人情報比較手段と、を有し、個人情報比較手段によりＩＤおよびパスワードの一致を検出した場合に、画像の登録要求または取得要求を許可することを特徴とする。
【０００９】
請求項３記載の発明は、請求項２記載の発明において、画像サービスサーバは、端末から送信されるメンバー名と、登録要求のあった画像と、画像と共に送信されるＧＰＳ情報を変換して作成した場所情報と、画像サービスサーバが保持する日時情報とをメンバー名に関連付けて記憶した画像情報記憶手段と、端末から送信されたメンバー名により、画像情報記憶手段に登録された画像と、場所情報と、日時情報とを選択する画像情報選択手段と、を有し、画像の登録要求があった場合に、要求のあった端末から送信されたメンバー名に関連付けて個人情報記憶手段に予め登録されたＩＤおよびパスワードと、要求のあった端末から送信されたＩＤおよびパスワードとが一致するか否かを個人情報比較手段で比較し、個人情報比較手段により一致を検出した場合に、要求のあった端末から送信されたメンバー名に、登録要求のあった画像と、ＧＰＳ情報を変換して作成した場所情報と、画像サービスサーバが保持する日時情報とを関連付けして画像情報記憶手段に登録し、画像の取得要求があった場合には、要求のあった端末から送信されたメンバー名に関連付けて個人情報記憶手段に予め登録されたＩＤおよびパスワードと、要求のあった端末から送信されたＩＤおよびパスワードとが一致するか否かを個人情報比較手段で比較し、個人情報比較手段により一致を検出した場合に、要求のあった端末から送信されたメンバー名で画像情報記憶手段に登録された画像と、場所情報と、日時情報とを画像情報選択手段によって選択し、要求のあった端末に選択した画像と、場所情報と、日時情報と、メンバー名とを送信することを特徴とする。
【００１０】
請求項４記載の発明は、請求項２または３記載の発明において、画像サービスサーバは、グループ毎に、該グループに属するメンバーのメンバー名と、該メンバーのメールアドレスとを格納したグループ情報記憶手段と、グループ情報記憶手段を検索して、指定されたグループに属するメンバーのメンバー名と、メールアドレスとを選択するグループ情報選択手段と、端末から送信されるグループ名と、個人情報記憶手段に予め記憶されたグループ名とが一致するか否かを比較するグループ情報比較手段と、画像情報記憶手段に、指定されたメンバー名で登録された画像が登録されているか否かを検出するメンバー名比較手段と、を有し、個人情報記憶手段は、メンバー名に、該メンバー名の示すメンバーの属するグループのグループ名を関連付けて記憶し、グループ名を指定した画像の取得要求があった場合には、要求のあった端末から送信されたメンバー名に関連付けして個人情報記憶手段に予め登録されたＩＤおよびパスワードと、要求のあった端末から送信されたＩＤおよびパスワードとが一致するか否かを個人情報比較手段で比較し、個人情報比較手段により一致を検出した場合に、要求のあった端末から送信されたグループ名と、個人情報記憶手段にメンバー名に関連付けして予め登録されたグループ名とが一致するか否かをグループ情報比較手段で比較し、グループ情報比較手段でグループ名の一致を検出した場合に、グループ情報選択手段により指定されたグループ名に属するメンバーのメンバー名をグループ情報記憶手段から取り出し、画像情報記憶手段に登録されたメンバー名が含まれる領域にある画像と、場所情報と、日時情報と、メンバー名とをメンバー名比較手段により取り出し、要求のあった端末に送信することを特徴とする。
【００１１】
請求項５記載の発明は、請求項２から４の何れか１項に記載の発明において、画像サービスサーバは、画像情報記憶手段に、指定された場所情報に関連付けされた画像が登録されているか否かを検出する場所比較手段を有し、場所情報を指定した画像の取得要求があった場合には、要求のあった端末から送信されたメンバー名に関連付けして個人情報記憶手段に予め登録されたＩＤおよびパスワードと、要求のあった端末から送信されたＩＤおよびパスワードとが一致するか否かを個人情報比較手段で比較し、個人情報比較手段により一致を検出した場合に、場所比較手段により要求のあった端末から送信された場所情報と画像情報記憶手段に登録された場所情報とを比較して画像情報記憶手段にある画像と、日時情報と、メンバー名とを取り出し、要求のあった端末に送信することを特徴とする。
【００１２】
請求項６記載の発明は、請求項１から５の何れか１項に記載の発明において、画像サービスサーバは、画像の登録または取得の際に、要求のあった端末に利用料金の課金を行なう料金管理手段を有することを特徴とする。
【００１３】
請求項７記載の発明は、ＧＰＳ機能を具備するカメラ付き携帯電話端末から送信される画像とＧＰＳ情報とを画像サービスサーバで受信し、該受信した画像サービスサーバにおいてＧＰＳ情報から位置情報を算出して該位置情報の示す場所情報に変換し、該画像と共に格納し、画像の取得要求によって画像サービスサーバは画像と場所情報とを取得要求のあった端末に送信することを特徴とする。
【００１４】
請求項８記載の発明は、請求項７記載の発明において、画像サービスサーバは、カメラ付き携帯電話端末から送信されたメンバー名と、ＩＤと、パスワードと、メールアドレスとをメンバー名に関連付けて格納した個人情報記憶手段を有し、画像の登録要求または取得要求があった際に、要求のあった端末から送信されたメンバー名を検索キーとして個人情報記憶手段を検索し該当する領域を選択する個人情報選択工程と、個人情報選択工程により検出された、メンバー名で登録されたＩＤおよびパスワードと、要求のあった端末から送信されたＩＤおよびパスワードとが一致するか否かを比較する個人情報比較工程と、を有し、個人情報比較工程によりＩＤおよびパスワードの一致を検出した場合に、画像の登録要求または取得要求を許可することを特徴とする。
【００１５】
請求項９記載の発明は、請求項８記載の発明において、画像サービスサーバは、端末から送信されるメンバー名と、登録要求のあった画像と、画像と共に送信されるＧＰＳ情報を変換して作成した場所情報と、画像サービスサーバが保持する日時情報とをメンバー名に関連付けて記憶した画像情報記憶手段を有し、画像の登録要求があった場合に、要求のあった端末から送信されたメンバー名に関連付けて個人情報記憶手段に予め登録されたＩＤおよびパスワードと、要求のあった端末から送信されたＩＤおよびパスワードとが一致するか否かを比較する個人情報比較工程と、個人情報比較工程により一致を検出した場合に、要求のあった端末から送信されたメンバー名に、登録要求のあった画像と、ＧＰＳ情報を変換して作成した場所情報と、画像サービスサーバが保持する日時情報とを関連付けして画像情報記憶手段に登録する画像登録工程と、を有し、画像の取得要求があった場合には、要求のあった端末から送信されたメンバー名に関連付けて個人情報記憶手段に予め登録されたＩＤおよびパスワードと、要求のあった端末から送信されたＩＤおよびパスワードとが一致するか否かを比較する個人情報比較工程と、個人情報比較工程により一致を検出した場合に、要求のあった端末から送信されたメンバー名で画像情報記憶手段に登録された画像と、場所情報と、日時情報とを選択して抽出する第１の画像抽出工程と、を有し、要求のあった端末に抽出した画像と、場所情報と、日時情報と、メンバー名とを送信することを特徴とする。
【００１６】
請求項１０記載の発明は、請求項８または９記載の発明において、画像サービスサーバは、グループ毎に、該グループに属するメンバーのメンバー名と、該メンバーのメールアドレスとを格納したグループ情報記憶手段を有し、個人情報記憶手段は、メンバー名に、該メンバー名の示すメンバーの属するグループのグループ名を関連付けて記憶し、グループ名を指定した画像の取得要求があった場合には、要求のあった端末から送信されたメンバー名に関連付けして個人情報記憶手段に予め登録されたＩＤおよびパスワードと、要求のあった端末から送信されたＩＤおよびパスワードとが一致するか否かを比較する個人情報比較工程と、個人情報比較工程により一致を検出した場合に、要求のあった端末から送信されたグループ名と、個人情報記憶手段にメンバー名に関連付けして予め登録されたグループ名とが一致するか否かを検出するグループ情報比較工程と、グループ情報比較工程でグループ名の一致を検出した場合に、指定されたグループ名に属するメンバーのメンバー名を検索キーにグループ情報記憶手段を検索して抽出するグループ情報抽出工程と、グループ情報抽出工程により抽出されたメンバー名で画像情報記憶手段に登録された画像と、場所情報と、日時情報と、メンバー名とを抽出する第２の画像抽出工程と、を有し、要求のあった端末に送信することを特徴とする。
【００１７】
請求項１１記載の発明は、請求項８から１０の何れか１項に記載の発明において、画像サービスサーバは、場所情報を指定した画像の取得要求があった場合に、要求のあった端末から送信されたメンバー名に関連付けして個人情報記憶手段に予め登録されたＩＤおよびパスワードと、要求のあった端末から送信されたＩＤおよびパスワードとが一致するか否かを比較する個人情報比較工程と、個人情報比較工程により一致を検出した場合に、要求のあった端末から送信された場所情報で画像情報記憶手段に登録された画像と、日時情報と、メンバー名とを抽出する第３の画像抽出工程と、を有し、要求のあった端末に送信することを特徴とする。
【００１８】
請求項１２記載の発明は、請求項７から１１の何れか１項に記載の発明において、画像サービスサーバは、画像の登録または取得の際に、要求のあった端末に利用料金の課金を行なう料金管理工程を有することを特徴とする。
【００１９】
請求項１３記載の発明は、ＧＰＳ機能を具備するカメラ付き携帯電話端末から送信される画像とＧＰＳ情報とを画像サービスサーバで受信し、受信した画像サービスサーバにおいて、ＧＰＳ情報から位置情報を算出して該位置情報の示す場所情報に変換して、該画像と共に格納する処理と、画像の取得要求によって画像と場所情報とを取得要求のあった端末に送信する処理と、を実行することを特徴とする。
【００２０】
請求項１４記載の発明は、請求項１３記載の発明において、画像サービスサーバは、カメラ付き携帯電話端末から送信されたメンバー名と、ＩＤと、パスワードと、メールアドレスとをメンバー名に関連付けて格納した個人情報記憶手段を有し、画像の登録要求または取得要求があった際に、要求のあった端末から送信されたメンバー名を検索キーとして個人情報記憶手段を検索する個人情報検索処理と、個人情報検索処理により検出された、メンバー名で登録されたＩＤおよびパスワードと、要求のあった端末から送信されたＩＤおよびパスワードとが一致するか否かを比較する個人情報比較処理と、を実行し、個人情報比較処理によりＩＤおよびパスワードの一致を検出した場合に、画像の登録要求または取得要求を許可することを特徴とする。
【００２１】
請求項１５記載の発明は、請求項１４記載の発明において、画像サービスサーバは、端末から送信されるメンバー名と、登録要求のあった画像と、画像と共に送信されるＧＰＳ情報を変換して作成した場所情報と、画像サービスサーバが保持する日時情報とをメンバー名に関連付けて記憶した画像情報記憶手段を有し、画像の登録要求があった場合に、要求のあった端末から送信されたメンバー名に関連付けて個人情報記憶手段に予め登録されたＩＤおよびパスワードと、要求のあった端末から送信されたＩＤおよびパスワードとが一致するか否かを比較する個人情報比較処理と、個人情報比較処理により一致を検出した場合に、要求のあった端末から送信されたメンバー名に、登録要求のあった画像と、ＧＰＳ情報を変換して作成した場所情報と、画像サービスサーバが保持する日時情報とを関連付けして画像情報記憶手段に登録する画像登録処理とを実行し、画像の取得要求があった場合には、要求のあった端末から送信されたメンバー名に関連付けて個人情報記憶手段に予め登録されたＩＤおよびパスワードと、要求のあった端末から送信されたＩＤおよびパスワードとが一致するか否かを比較する個人情報比較処理と、個人情報比較処理により一致を検出した場合に、要求のあった端末から送信されたメンバー名で画像情報記憶手段に登録された画像と、場所情報と、日時情報とを抽出する第１の画像抽出処理と、を実行し、要求のあった端末に抽出した画像と、場所情報と、日時情報と、メンバー名とを送信することを特徴とする。
【００２２】
請求項１６記載の発明は、請求項１４または１５記載の発明において、画像サービスサーバは、グループ毎に、該グループに属するメンバーのメンバー名と、該メンバーのメールアドレスとを格納したグループ情報記憶手段を有し、個人情報記憶手段は、メンバー名に、該メンバー名の示すメンバーの属するグループのグループ名を関連付けて記憶し、グループ名を指定した画像の取得要求があった場合には、要求のあった端末から送信されたメンバー名に関連付けして個人情報記憶手段に予め登録されたＩＤおよびパスワードと、要求のあった端末から送信されたＩＤおよびパスワードとが一致するか否かを比較する個人情報比較処理と、個人情報比較処理により一致を検出した場合に、要求のあった端末から送信されたグループ名と、個人情報記憶手段にメンバー名に関連付けして予め登録されたグループ名とが一致するか否かを検出するグループ情報比較処理と、グループ情報比較処理でグループ名の一致を検出した場合に、指定されたグループ名に属するメンバーのメンバー名を検索キーにグループ情報記憶手段を検索して抽出するグループ情報抽出処理と、グループ情報抽出処理により抽出されたメンバー名で画像情報記憶手段に登録された画像と、場所情報と、日時情報と、メンバー名とを抽出する第２の画像抽出処理と、を実行し、要求のあった端末に送信することを特徴とする。
【００２３】
請求項１７記載の発明は、請求項１４から１６の何れか１項に記載の発明において、画像サービスサーバは、場所情報を指定した画像の取得要求があった場合には、要求のあった端末から送信されたメンバー名に関連付けして個人情報記憶手段に予め登録されたＩＤおよびパスワードと、要求のあった端末から送信されたＩＤおよびパスワードとが一致するか否かを比較する個人情報比較処理と、個人情報比較処理により一致を検出した場合に、要求のあった端末から送信された場所情報で画像情報記憶手段に登録された画像と、日時情報と、メンバー名とを検出する第３の画像検出処理と、を実行し、要求のあった端末に送信することを特徴とする。
【００２４】
請求項１８記載の発明は、請求項１３から１７の何れか１項に記載の発明において、画像サービスサーバは、画像の登録または取得の際に、要求のあった端末に利用料金の課金を行なう料金管理処理を実行することを特徴とする。
【００２５】
【発明の実施の形態】
次に、添付図面を参照しながら本発明の携帯電話画像サービスシステム、その方法及びプログラムに係る実施の形態を詳細に説明する。図１〜図１１を参照すると本発明の携帯電話画像サービスシステム、その方法及びプログラムに係る実施の形態が示されている。
【００２６】
まず、図１を参照しながら本実施形態の構成を説明する。図１に示されるように本実施形態は、画像サービスサーバ１と、携帯電話端末５及び６と、インターネット端末７と、決済システム９と、これらを接続する携帯電話網２及びインターネット３とで構成されている。
【００２７】
画像サービスサーバ１は、携帯電話サービス提供事業者等が管理運営する情報通信センターに設置されるか、もしくは、別の事業者であるアプリケーションサービスプロバイダーがデータセンターに設置運営するものである。図１に示されるように画像サービスサーバ１は、送受信手段１１と、分配手段１２と、個人情報選択手段２１と、個人情報記憶手段２２と、個人情報比較手段２３と、グループ情報比較手段２４と、画像情報選択手段３１と、画像情報記憶手段３２と、変換手段３３と、場所比較手段３４と、グループ情報選択手段４１と、グループ情報記憶手段４２と、メンバー名比較手段４３と、データ選択手段５１と、アドレス選択手段５２と、料金管理手段６１とを有している。
【００２８】
送受信手段１１は、携帯電話網２とインターネット３とに接続されると共に、データ選択手段５１とアドレス選択手段５２と料金管理手段６１とからデータの転送を受け、また、分配手段１２に受信したデータを出力する。送受信手段１１は、画像サービスサーバ１内の各手段と携帯電話網２及びインターネット３との間で、データの授受を行う機能を有する。
【００２９】
分配手段１２は、個人情報選択手段２１と、個人情報記憶手段２２と、個人情報比較手段２３と、グループ情報比較手段２４と、画像情報選択手段３１と、画像情報記憶手段３２と、場所比較手段３４と、グループ情報選択手段４１とに接続されている。分配手段１２は、送受信手段１１から受信したデータを各手段へ分配する機能を有する。
【００３０】
個人情報選択手段２１は、分配手段１２からデータを受信し、個人情報記憶手段２２にデータを出力する。個人情報選択手段２１は、分配手段１２から受信したメンバー名から個人情報記憶手段２２のアドレスを生成する機能を有する。
【００３１】
個人情報記憶手段２２は、分配手段１２と個人情報選択手段２１からデータを受信し、個人情報比較手段２３とグループ情報比較手段２４とグループ情報選択手段４１とグループ情報記憶手段４２とアドレス選択手段５２とにデータを出力する。個人情報記憶手段２２は、メンバー名、ＩＤ、パスワード、グループ名、メールアドレスを分配手段１２から受信し記憶する機能を有する。
【００３２】
個人情報比較手段２３は、個人情報記憶手段２２と分配手段１２とからデータを受信する。個人情報比較手段２３は、分配手段１２から受信したＩＤ及びパスワードと、個人情報記憶手段２２から読み出されたＩＤ及びパスワードを比較する機能を有する。
【００３３】
グループ情報比較手段２４は、個人情報記憶手段２２と分配手段１２とからデータを受信する。グループ情報比較手段２４は、分配手段１２から受信したグループ名と、個人情報記憶手段２２から読み出されたグループ名を比較する機能を有する。
【００３４】
画像情報選択手段３１は、分配手段１２からデータを受信し、データを画像情報記憶手段３２に出力する。画像情報選択手段３１は、分配手段１２から受信したメンバー名から画像情報記憶手段３２のアドレスを生成する機能を有する。
【００３５】
画像情報記憶手段３２は、分配手段１２と画像情報選択手段３１と変換手段３３とからデータを受信し、メンバー名比較手段４３とデータ選択手段５１と場所比較手段３４と変換手段３３とにデータを出力する。画像情報記憶手段３２は、メンバー名と、分配手段１２から受信した画像情報及びＧＰＳ情報と、システムが生成した日時、ＧＰＳ情報から変換された場所情報を記憶する機能を有する。
【００３６】
変換手段３３は、画像情報記憶手段３２からデータを受信し、データを画像情報記憶手段３２に出力する。変換手段３３は画像情報記憶手段３２から読み出されたＧＰＳ情報を場所情報に変換する機能を有する。
【００３７】
場所比較手段３４は、画像情報記憶手段３２と分配手段１２とからデータを受信し、データをデータ選択手段５１に出力する。場所比較手段３４は、分配手段１２から受信した場所情報と、画像情報記憶手段３２から読み出された場所情報を比較する機能を有する。
【００３８】
グループ情報選択手段４１は、分配手段１２と個人情報記憶手段２２からデータを受信し、グループ情報記憶手段４２にデータを出力する。グループ情報選択手段４１は、分配手段１２または個人情報記憶手段２２から出力されるグループ名から、グループ情報記憶手段４２のアドレスを生成する機能を有する。
【００３９】
グループ情報記憶手段４２は、個人情報記憶手段２２とグループ情報選択手段４１とからデータを受信し、メンバー名比較手段４３とアドレス選択手段５２とにデータを出力する。グループ情報記憶手段４２は、グループ名と、個人情報記憶手段２２から読み出された前記グループ名が示すグループに属するメンバーのメンバー名、及び、前記メンバー名に対応するメールアドレスを記憶する機能を有する。
【００４０】
メンバー名比較手段４３は、グループ情報記憶手段４２と画像情報記憶手段３２とからデータを受信し、データ選択手段５１にデータを出力する。メンバー名比較手段４３は、グループ情報記憶手段４２から読み出されたメンバー名と画像情報記憶手段３２から読み出されたメンバー名とを比較する機能を有する。
【００４１】
データ選択手段５１は、画像情報記憶手段３２と場所比較手段３４とメンバー名比較手段５２とからデータを受信し、送受信手段１１にデータを出力する。データ選択手段５１は、利用者へ送信する送信データを生成する機能を有しており、自動配信時に画像情報記憶手段３２から読み出されるメンバー名、日時、画像情報及び場所情報を合成して送信データとする機能と、場所比較手段３４の出力が所定の値の時に画像情報記憶手段３２から読み出されるメンバー名、日時及び画像情報を合成して送信データとする機能と、メンバー名比較手段４３の出力が所定の値の時に画像情報記憶手段３２から読み出されるメンバー名、日時、画像情報及び場所情報を合成して送信データとする機能と、前記送信データを送受信手段１１へ送信する機能を有する。
【００４２】
アドレス選択手段５２は、個人情報記憶手段２２とグループ情報記憶手段４２とからデータを受信し、送受信手段１１にデータを出力する。アドレス選択手段５２は、利用者メールアドレスを生成する機能を有しており、個人情報記憶手段２２から読み出されるメールアドレスか、グループ情報記憶手段４２から読み出されるメールアドレスのいずれかを選択して送信アドレスとする機能と、前記送信アドレスを送受信手段１１へ送信する機能を有する。
【００４３】
料金管理手段６１は、利用者毎の利用料金を管理する機能を有し、利用料金を送受信手段１１へ送信する機能を有する。
【００４４】
また、携帯電話端末５及び６は、カメラ付きＧＰＳ機能付きの携帯電話機である。携帯電話端末５及び６は、自身のメンバー名、ＩＤ、パスワード、グループ名、メールアドレスと、自身が撮影した画像情報及びＧＰＳ情報を画像サービスサーバ１へ送信する機能、画像サービスサーバ１に蓄積された画像情報及び付随情報を受信する機能を有する。なお、以下の説明においては、携帯電話端末５はメンバーの登録用及び画像等情報の登録用、携帯電話端末６は、画像等情報の要求用と仮定する。
【００４５】
インターネット端末７は、パーソナルコンピュータ等の端末装置である。インターネット端末７は、利用者がインターネット３を経由して、画像サービスサーバ１にアクセスし、携帯電話端末が登録した画像情報や付随する情報を入手する機能を有する。
【００４６】
上記構成を具備する本実施形態は、特定利用者が使用する携帯電話端末５から画像情報等の登録要求を受け付けて、画像情報等を画像サービスサーバ１の内部の記憶手段に格納する。また、この画像情報に付加されるＧＰＳ情報から、画像の撮影位置を示す場所情報を作成し、画像情報と共に格納する。従って、この画像の取得者は画像の撮影場所を認識することができる。
【００４７】
一方、特定利用者と同一のグループに属する他の特定利用者が携帯電話端末６から所定のキーワードを指定して画像情報等を要求することにより、画像サービスサーバ１は記憶手段から所望の画像情報等を読み出して、携帯電話端末６を所持する特定利用者に提供する。従って、利用者は、サッカークラブ、釣りクラブ、サーフィンクラブ等ユーザ固有のグループを設定できるため、利用者は特定の仲間からの情報を入手でき、満足感を得ることができる。また、事業者にとってはユーザの囲い込みができるためビジネスチャンス拡大の可能性がある。
【００４８】
また、画像サービスサーバ１は、利用状況に応じて利用者毎の料金管理を行なう。従って、事業者は特定利用者への画像情報サービスの提供により、ユーザの囲い込みを行い、事業収入を確保することができる。
【００４９】
次に、携帯電話端末５を使用したメンバー登録の動作手順を説明する。図２には、メンバー登録の際の画像サービスサーバ１の動作が示され、図３にはこの動作手順を示すフローチャートが示されている。
携帯電話端末５からメンバー登録の要求が出されると、携帯電話網２、送受信手段１１、分配手段１２を通して、利用者のメンバー名、ＩＤ、パスワード、グループ名、メールアドレスが経路７３経由で個人情報記憶手段２２に供給される（ステップＳ１）。メンバー名が未登録であれば（ステップＳ２／ＹＥＳ）、個人情報記憶手段２２に記憶される（ステップＳ３）。例えば、メンバーＭｅｎ１の場合、それぞれＭｅｎ１、ＩＤ１、パスワード（以下、ＰＷと記す）１、グループ（以下、Ｇと記す）１及びＧ２、メールアドレス（以下、ＭＡと記す）１、メンバーＭｅｎ２の場合、それぞれＭｅｎ２、ＩＤ２、ＰＷ２、Ｇ２、ＭＡ２、メンバーＭｅｎ３の場合、それぞれＭｅｎ３、ＩＤ３、ＰＷ３、Ｇ３、ＭＡ３である。メンバーＭｅｎ１はグループＧ１とＧ２の２つのグループに属している。
【００５０】
メンバーが登録済みの場合には（ステップＳ２／ＮＯ）、この要求は無視される。ただし、パスワードや所属グループ名、メールアドレスが変更された場合には（ステップＳ４／ＹＥＳ）、前記要求は受け付けられ、個人情報記憶手段２２とグループ情報記憶手段４２との該当領域が書き換えられる（ステップＳ５）。続いて、個人情報記憶手段２２から出力されるグループ名が経路８１を経由してグループ情報選択手段４１に供給されると共に（ステップＳ６）、メンバー名（経路８２−１）とメールアドレス（経路８２−２）がグループ情報記憶手段４２に供給されて書き込まれる（ステップＳ７）。例えば、グループＧ１にはメンバーＭｅｎ１とＭｅｎ４が、グループＧ２にはメンバーＭｅｎ１とＭｅｎ２とＭｅｎ５が、グループＧ３にはメンバーＭｅｎ３とＭｅｎ６が属していること、メンバーＭｅｎ１〜６のメールアドレスは、それぞれＭＡ１〜６であることを示している。更に、メンバー登録料金がメンバー毎に料金管理手段６１に記録される（ステップＳ８）。
【００５１】
次に、図４及び図５を参照しながら携帯電話端末５を使用した画像登録の動作を詳細に説明する。図４には画像登録の際の画像サービスサーバ１の動作が示され、図５にはこの動作手順を示すフローチャートが示されている。
携帯電話端末５から受信したメンバー名を、携帯電話網２、送受信手段１１、分配手段１２を通して、個人情報選択手段２１に経路７２を経由して供給する。個人情報選択手段２１は、供給されたメンバー名を検索キーとして個人情報記憶手段２２を検索し、該当メンバーのＩＤ及びパスワードを抽出する（ステップＳ１０）。抽出したＩＤ及びパスワードは、個人情報比較手段２３に転送される。個人情報比較手段２３は、個人情報記憶手段２２から読み出されたＩＤ、パスワードと、携帯電話端末５から受信したＩＤ、パスワードとを比較する（ステップＳ１１）。一致した場合には（ステップＳ１２／ＹＥＳ）以降の動作が実施され、不一致の場合には（ステップＳ１２／ＮＯ）以降の動作は実施されない。
【００５２】
次に、携帯電話端末５から受信した画像情報及びＧＰＳ情報を経路７５を経由して画像情報記憶手段３２に供給する。これらの情報は画像情報選択手段３１によって選択された領域に書き込まれる（ステップＳ１３）。また、ＧＰＳ情報は画像情報記憶手段３２から読み出されて変換手段３３に供給される。変換手段３３は、供給されたＧＰＳ情報を所定の場所情報に変換する（ステップＳ１４）。変換された場所情報は画像情報記憶手段３２に出力され、画像情報と関連付けされて画像情報記憶手段３２に書き込まれる（ステップＳ１５）。変換について説明すると、ＧＰＳ情報から位置情報を計算し、位置情報に対応する予め変換手段３３内に登録された町名やエリア名、近傍の駅名や公共施設名等に変換することであり、このことにより分かり易い場所の提供が可能となる。ここで、携帯電話端末５がＧＰＳ機能付きではない場合には、場所情報は利用者が直接入力するものであってもよい。
【００５３】
次に、画像サービスサーバ１自身が保持する日時が画像情報記憶手段３２の日時に書き込まれる（ステップＳ１６）。この日時は、携帯電話端末５から送信された日時を採用してもよい。画像情報記憶手段３２には、日時ＤＴ１に受信したメンバーＭｅｎ１からの画像情報Ｐｈｏｔｏ１と付随するＧＰＳ情報ＧＰＳ１及び場所情報Ｌｏｃ１と、日時ＤＴ２に受信したメンバーＭｅｎ１からの画像情報Ｐｈｏｔｏ２と付随するＧＰＳ情報ＧＰＳ２及び場所情報Ｌｏｃ２と、日時ＤＴ３に受信したメンバーＭｅｎ２からの画像情報Ｐｈｏｔｏ３と付随するＧＰＳ情報ＧＰＳ３及び場所情報Ｌｏｃ３と、日時ＤＴ４に受信したメンバーＭｅｎ３からの画像情報Ｐｈｏｔｏ４と付随するＧＰＳ情報ＧＰＳ４及び場所情報Ｌｏｃ４が記憶されている。更に、画像登録料金が登録メンバー毎に料金管理手段６１に記録される（ステップＳ１７）。
【００５４】
次に、図６及び図７を参照しながら画像登録後に画像及び付随情報をメンバーへ自動的に配信する動作を詳細に説明する。図６には画像を自動配信する際の画像サービスサーバ１の動作が示され、図７にはこの動作手順を示すフローチャートが示されている。
携帯電話端末６から送信されたメンバー名を受信すると、このメンバー名を経路７２から個人情報選択手段２１に供給する（ステップＳ２１）。個人情報選択手段２１は供給されたメンバー名を検索キーとして個人情報記憶手段２２を検索し、メンバーが属するグループ名を読み出す（ステップＳ２２）。読み出されたグループ名は、経路８１を経由してグループ情報選択手段４１に供給される（ステップＳ２２）。グループ情報選択手段４１は、供給されたグループ名を検索キーとしてグループ情報記憶手段４２を検索し、このグループに属するメンバーのメールアドレスを読み出す（ステップＳ２３）。読み出されたメンバーのメールアドレスは、送信アドレスとして送受信手段１１に転送される（ステップＳ２３）。
【００５５】
また、経路７２を経由して供給されたメンバー名は、画像情報選択手段３１にも供給され、該当メンバー名で登録された画像情報と、その付随情報（日時、場所情報、メンバー名）が画像情報記憶手段３２から読み出される（ステップＳ２５）。読み出された情報はデータ選択手段５１で合成され送信データとして送受信手段１１に送信される（ステップＳ２５）。引き続き、送受信手段１１は送信アドレスが示す携帯電話端末６に送信データを送信する（ステップＳ２６）。
【００５６】
例えば、経路７２から供給されるメンバー名がＭｅｎ２の場合には、画像情報記憶手段３２内のデータ（メンバー名Ｍｅｎ２、日時ＤＴ３、画像情報Ｐｈｏｔｏ３、及び、場所情報Ｌｏｃ３）が、グループ情報記憶手段４２に記憶されたメンバーＭｅｎ２が属するグループＧ２内のメンバーＭｅｎ１とＭｅｎ５のメールアドレスＭＡ１とＭＡ５が示す携帯電話端末に送信される。従って、自身が属するグループの構成メンバー全員に画像及び付随情報が自動的に配信されることになる。また、携帯電話端末６の代わりにインターネット端末７への配信も可能である。
【００５７】
更に、画像等配信料金が配信先メンバー毎に料金管理手段６１に記録される（ステップＳ２７）。なお、当然ながら、画像登録後に画像及び付随情報をメンバーへ自動的に配信する動作は、禁止することもできるが、ここでの詳細説明は省略する。
【００５８】
次に、図８、図９を参照しながら場所情報を指定して画像及び付随情報を要求する動作を詳細に説明する。図８には、場所情報を指定した画像の取得要求があった場合の画像サービスセンタ１の動作が示され、図９にはこの動作手順を示すフローチャートが示されている。
携帯電話端末６から送信されたメンバー名が、携帯電話網２、送受信手段１１、分配手段１２を通して、個人情報選択手段２１に経路７２を経由して供給される（ステップＳ３１）。個人情報選択手段２１は、供給されたメンバー名を検索キーとして個人情報記憶手段２２を検索し該当するメンバーのＩＤおよびパスワードを抽出する（ステップＳ３２）。個人情報記憶手段２２から抽出されたＩＤとパスワードは、個人情報比較手段２３に転送される。個人情報比較手段２３は、この転送されたＩＤ、パスワードと、携帯電話端末６から送信され、経路７４を経由して供給されたＩＤ及びパスワードとを比較する（ステップＳ３３）。一致した場合には（ステップＳ３４／ＹＥＳ）以降の動作が実施され、不一致の場合には（ステップＳ３４／ＮＯ）以降の動作は実施されない。
【００５９】
ＩＤとパスワードの一致が検出されると（ステップＳ３４／ＹＥＳ）、携帯電話端末６から送信された場所情報が経路７６を経由して場所比較手段３４に供給される（ステップＳ３５）。場所比較手段３４は、携帯電話端末６から送信された場所情報と画像情報記憶手段３２に登録された場所情報とを全領域にわたり比較する（ステップＳ３６）。場所情報が一致する画像情報を検出すると（ステップＳ３７）、場所情報が一致した領域に含まれる画像情報、およびこの画像情報に付随する、日時、メンバー名、場所情報等の付随情報が画像情報記憶手段３２から読み出されて、データ選択手段５１で送信データとされる（ステップＳ３８）。また、個人情報選択手段２１は、携帯電話端末６から送信されたメンバー名を検索キーとして該当するメンバーのメールアドレスを個人情報記憶手段２２から抽出し、送信アドレスとして送受信手段１１に転送する（ステップＳ３９）。送受信手段１１により、送信アドレスが示す携帯電話端末へ送信データを送信することで、要求者へメンバー名、日時、画像情報が送信される（ステップＳ４０）。例えば、経路７２から供給されるメンバー名がＭｅｎ１でかつ経路７６から供給される場所情報がＬｏｃ４の場合には、送信アドレスとして個人情報記憶手段２２内のメールアドレスＭＡ１が選択され、送信データとして画像情報記憶手段３２内のデータ（メンバー名Ｍｅｎ３、日時ＤＴ４、画像情報Ｐｈｏｔｏ４）が選択される。
【００６０】
最後に、画像等配信料金が要求者毎に料金管理手段６１に記録され、一連の手順を終了する（ステップＳ４１）。
【００６１】
次に、図１０、１１を参照しながらグループ名を指定して画像および付随情報を要求する動作を詳細に説明する。図１０には、グループ名を指定した要求動作を受けた際の画像サービスサーバ１の動作が模式的に示され、図１１にはこの画像サービスサーバ１の動作手順を示すフローチャートが示されている。
携帯電話端末６からメンバー名が送信されると、このメンバー名を携帯電話網２、送受信手段１１、分配手段１２を介して、経路７２を経由して個人情報選択手段２１に供給する（ステップＳ５１）。個人情報選択手段２１は供給されたメンバー名を検索キーとして個人情報記憶手段２２を検索し該当メンバーのＩＤおよびパスワードを抽出する（ステップＳ５２）。このＩＤおよびパスワードは、個人情報比較手段２３に供給される。個人情報比較手段２３は、個人情報記憶手段２２から抽出したＩＤ、パスワードと、携帯電話端末６から受信し、経路７４を経由して供給されたＩＤ、パスワードとを比較する（ステップＳ５３）。一致した場合には（ステップＳ５４／ＹＥＳ）以降の動作が実施され、不一致の場合には（ステップＳ５４／ＮＯ）以降の動作は実施されない。
【００６２】
一致を検出すると個人情報選択手段２１は、該当ユーザの属するグループ名を個人情報記憶手段２２から抽出し、グループ情報比較手段２４に供給する（ステップＳ５５）。グループ情報比較手段２４は、携帯電話端末６より送信されたグループ名と、個人情報記憶手段２２から抽出したグループ名とを比較する（ステップＳ５６）。一致した場合には（ステップＳ５７／ＹＥＳ）以降の動作が実施され、不一致の場合には（ステップＳ５７／ＮＯ）以降の動作は実施されない。
【００６３】
グループ名が一致した場合には、携帯電話端末６より受信したグループ名を経路７１を経由してグループ情報選択手段４１に供給する（ステップＳ５８）。グループ情報選択手段４１は供給されたグループに属するメンバーのメンバー名をグループ情報記憶手段４２から抽出する。抽出されたメンバー名はメンバー名比較手段４３に供給される（ステップＳ５８）。
【００６４】
メンバー名比較手段４３は、グループ情報記憶手段４２から抽出したメンバー名と画像情報記憶手段３２に登録されたメンバー名とを比較する（ステップＳ５９）。グループ情報記憶手段４２に一致するメンバー名で登録された画像を検出した場合（ステップＳ６０／ＹＥＳ）、メンバー名の一致する領域の画像情報、及びこの画像情報に付随する情報である、日時、場所情報、メンバー名を画像情報記憶手段３２から読み出し、送信データとする（ステップＳ６１）。また、個人情報選択手段２１は、携帯電話端末６から送信されたメンバー名を検索キーとして個人情報記憶手段２２を検索し該当するメンバーのメールアドレスを抽出し、送信アドレスとして送受信手段１１に転送する（ステップＳ６２）。送受信手段１１により、送信アドレスが示す携帯電話端末へ送信データを送信することで、要求者へメンバー名、日時、画像情報、場所情報が送信される（ステップＳ６３）。
【００６５】
更に、画像等配信料金が要求者毎に送信データ量に応じて課金され、料金管理手段６１に記録される（ステップＳ６４）。このように、画像サービスサーバ１内の料金管理手段６１は、メンバー登録料や送受信データ量に応じた利用者毎の利用料金を計算し記録する。この記録は、随時インターネットを通じて、金融機関等が管理する決済システムへ送られる。決済システムについては従来と同様であるので、説明は省略する。
【００６６】
このように本実施形態は、利用者の要求に応じて画像情報や画像情報に付随する情報を配信することができるため、利用者は所望の情報を入手することができ、コンテンツサービスの向上を図ることができる。
【００６７】
また、サッカークラブ、釣りクラグ、サーフィンクラブといったユーザ固有のグループを設定することができるため、利用者は特定の仲間からの情報を入手することができ、満足感を得ることができる。事業者にとってはユーザの囲い込みができるため、ビジネスチャンス拡大の可能性がある。
【００６８】
また、登録する画像情報にＧＰＳ情報を付加して画像サービスサーバ１に送信し、画像サービスサーバ１はＧＰＳ情報を変換して位置情報を生成するため、画像情報の送信場所（撮影場所）を画像の取得者に認識させることができる。また、画像の登録者は場所に関する情報を入力する必要がない。さらに登録する画像と位置情報は画像サービスサーバ１側で自動的にリンクされるため登録者の手間がかからない。
【００６９】
また、画像サービスサーバ１内に設けた料金管理手段６１により画像登録、画像配信の費用を利用者毎に計算、記録するので正確な料金管理が可能となる。
【００７０】
また、携帯電話端末からの画像取得要求時、ユーザＩＤ、及びパスワードのチェックを行なうので、セキュリティを確保することができる。また、自身が所属するグループ名のチェックも行なうので、グループ外のメンバーへ情報を配信するという問題を解決することができる。
【００７１】
また、本サービスの利用者は携帯電話端末と同様に、インターネット端末から要求することができるため、より多くの人が利用することができ、事業者にとっては事業拡大の可能性がある。
【００７２】
なお、上述した実施形態は本発明の好適な実施の形態である。但し、これに限定されるものではなく本発明の要旨を逸脱しない範囲内において種々変形実施可能である。例えば、上述した説明では、メンバー登録時のグループ加入に関する制限については記述しなかったが、加入するグループの最大数等を設けて制限することもできる。また、メンバー登録時にグループメンバーによる承認機能や拒否機能を設けてもよい。また、画像等登録時、及び、画像等要求時に、送受信できる画像枚数等の量的制限を設けても良い。更には、画像等情報の要求時の指定として場所情報とグループ名としたが、メンバー名等を指定することも容易に実現できる。なお、画像サービスサーバ１と決済システム９との接続はインターネットとしたが、専用回線等としても良い。
【００７３】
【発明の効果】
以上の説明より明らかなように本発明は、登録する画像情報にＧＰＳ情報を付加して画像サービスサーバに送信し、画像サービスサーバはＧＰＳ情報を変換して場所情報を生成し、生成した場所情報と画像情報とを関連付けして登録する。従って、画像の登録者は位置情報を登録する手間を省くことができる。また、画像の取得者に、画像の撮影場所を認識することができるので、コンテンツサービスの向上を図ることができる。
【００７４】
また、端末からの画像登録要求、または取得要求時に、ユーザＩＤ、及びパスワードのチェックを行なうので、セキュリティを確保することができる。また、自身が所属するグループ名のチェックも行なうので、グループ外のメンバーへ情報を配信するという問題を解決することができる。
【００７５】
また、サッカークラブ、釣りクラグ、サーフィンクラブといったユーザ固有のグループを設定することができるため、利用者は特定の仲間からの情報を入手することができ、満足感を得ることができる。事業者にとってはユーザの囲い込みができるため、ビジネスチャンス拡大の可能性がある。
【００７６】
また、本サービスの利用者は携帯電話端末と同様に、インターネット端末から要求することができるため、より多くの人が利用することができ、事業者にとっては事業拡大の可能性がある。
【００７７】
また、画像サービスサーバ内に設けた料金管理手段により画像登録、画像配信の費用を利用者毎に計算、記録するので正確な料金管理が可能となる。
【図面の簡単な説明】
【図１】本発明のシステム構成を示すブロック図である。
【図２】メンバー登録時の画像サービスサーバの動作を模式的に示す図である。
【図３】メンバー登録時の動作手順を示すフローチャートである。
【図４】画像登録時の画像サービスサーバの動作を模式的に示す図である。
【図５】画像登録時の動作手順を示すフローチャートである。
【図６】画像および付随情報を携帯電話端末に自動配信する際の画像サービスサーバの動作を模式的に示す図である。
【図７】画像および付随情報を携帯電話機に自動配信する際の画像サービスサーバの動作手順を示すフローチャートである。
【図８】場所情報を指定した画像および付随情報の取得要求があった時の画像サービスサーバの動作を模式的に示す図である。
【図９】場所情報を指定した画像および付随情報の取得要求があった時の画像サービスサーバの動作手順を示すフローチャートである。
【図１０】グループ名を指定した画像および付随情報の取得要求があった時の画像サービスサーバの動作を模式的に示す図である。
【図１１】グループ名を指定した画像および付随情報の取得要求があった時の画像サービスサーバの動作手順を示すフローチャートである。
【符号の説明】
１  画像サービスサーバ
２  携帯電話網
３  インターネット
５、６  携帯電話端末
７  インターネット端末
９  決済システム
１１  送受信手段
１２  分配手段
２１  個人情報選択手段
２２  個人情報記憶手段
２３  個人情報比較手段
２４  グループ情報比較手段
３１  画像情報選択手段
３２  画像情報記憶手段
３３  変換手段
３４  場所比較手段
４１  グループ情報選択手段
４２  グループ情報記憶手段
４３  メンバー名比較手段
５２  アドレス選択手段
６１  料金管理手段
【図１】
2004320464.tif 000003
【図２】
2004320464.tif 000004
【図３】
2004320464.tif 000005
【図４】
2004320464.tif 000006
【図５】
2004320464.tif 000007
【図６】
2004320464.tif 000008
【図７】
2004320464.tif 000009
【図８】
2004320464.tif 000010
【図９】
2004320464.tif 000011
【図１０】
2004320464.tif 000012
【図１１】
2004320464.tif 000013